(57)【要約】      （修正有）【課題】操作性や利便性を損なうことなく身に着ける快適性、ファッション性を満足させる二つ折り携帯電話用収納ケースを提供する。【解決手段】袋状部位４に携帯電話本体を操作ボタンが見える程度に挿入できるようにし、操作面上部を帯状の保持帯３で押さえて保持する、その際にボタン操作面に操作上の支障のない様に配置する。袋状部分４と操作面上部の帯状部分３は、携帯電話と同じ幅のベルト上の同一面に固定されており、ベルト状部分の両端には、面ファスナー２等が下部上部それぞれ反対の面になるように取り付けられており、それを連結することにより、ズボンベルトやカバンの持ち手に安全にかつ容易にケースを取り付けることが可能となる。【選択図】図１
2012016552.tif 000002
【特許請求の範囲】
【請求項１】
面ファスナーやフック等によって、ズボンのベルトやカバンの持ち手に脱着がしやすく、二つ折式の携帯電話の装着や取出しが極めて容易であり、また、携帯電話をベルト等にとおして身につけない場合は、携帯電話本体のカバーとして、本体を保護できることを特徴とする携帯電話ケース。
【請求項２】
ズボンのベルトやカバンの持ち手等に固定するために面ファスナーやフック等取り付け、取り外しが容易な装置を具備している携帯電話ケース。
【請求項３】
二つ折り携帯電話のボタン操作面と表示画面取り付けの二つ折り部分の反対側を袋状のポケットによって保持し、さらに、ボタン操作面二つ折り部付近を操作に支障の無い程度の帯状の保持材が取り付けられた携帯電話ケース。
【請求項４】
前項の携帯電話操作面の携帯電話保持材が、携帯電話の操作部分を大きく広げた事により手軽に操作でき支障の無い配置となっている携帯電話ケース。
【請求項５】
手の不自由な方や、高齢者のように手の握力がない場合は携帯電話をケースに装着する方法で、手をとおして使用し携帯電話カバーとして操作できることを特徴とする携帯電話ケース。
【発明の詳細な説明】
【技術分野】
【０００１】本発明は、主に携帯電話を持ち歩く際に携帯電話を使用するにも収納するにもの取り扱いの容易な二つ折り携帯電話用収納ケースに関する。
【背景技術】
【０００２】一人に一台を保有し携帯するようになった携帯電話であるが、持ち歩く際は、ズボンやシャツ、スーツのポケットに入れる等衣類のポケットに収納して携帯しているが、ズボンのポケットだと座る際に邪魔になったり、スーツやシャツの胸ポケットの場合、しゃがみこんだときに落としたりと問題があった。【０００３】又は、カバン等に携帯電話を入れて携帯することもあるが、電話の呼び出し音が聞き取り難かったり、振動も伝わりにくかったりと携帯電話の携帯方法としては問題がある。【０００４】その他、身に着ける方法として、ストラップ等で首などにぶら下げておく携帯方法もあるが、首に下げておくことで肩こりの原因や扉や車のドアなどに挟まれるなど危険性と安全性に問題もある。【０００５】また、腰のベルト等に保持する形で携帯電話本体を全部覆うような収納ケースに出し入れする方法もあるが、携帯電話を取り出すために、収納ケースの蓋やボタンで留めてある物や開ける際に手間がかかり、利便性において問題があった。
【発明の概要】
【発明が解決しようとする課題】
【０００６】  携帯電話は持ち歩きのできる端末として非常に便利であるが、胸ポケットに入れておくには、重く、姿勢が前かがみになった場合、落下の原因となることもある、ズボンのポケット収納では歩行時に利便性と違和感があり座る時にも邪魔になる。また、着信時の振動はジャケット等の内ポケットや胸ポケット、ズボンポケットでは歩行時には判り難い。
カバン等に入れ携帯した場合、着信時の音が聞こえ難く、振動が伝わらず携帯電話の本来の利便性を損なうこととなる。
ストラップによって、携帯電話を首から下げておくのは携帯電話の利便性を発揮する上ででは、取り扱い易く便利でもあるが、首に重量のある物をぶら下げることとなり、肩こりの原因ともなる。
袋状のケースでは、携帯電話を取り出しするのに手間がかかり利便性を損なうこととなる。
このように携帯電話の利便性と操作性を損なうことなく、容易に携帯できかつ携帯電話の収納、取り出しが容易なケースを提供する。
【課題を解決するための手段】
【０００７】  二つ折り携帯のボタン操作面がある部分（右手で携帯電話を持った場合の手で持つ部分のみを保持するために、操作面下部をポケット式にしてボタンが見える程度に挿入できるようにする。また、操作面上部（二つ折り部分の直ぐ下部分）をベルト式の保持帯で、押さえて保持する、その際にボタン操作面に操作上の支障のない様に配置する。【０００８】  前項の操作面下部のポケット式部分と操作面上部の帯状部分は、携帯電話と同じ幅のベルト上の同一面に固定されており、ベルト式部分の両端には、面ファスナー等で簡単に取り付け、取り外しが可能になる接続装置が、下部上部それぞれ反対の面になるように取り付けられており、それを連結することにより、ズボンベルトやカバンの持ち手に安全にかつ容易にケースを取り付けることが可能となる。【０００９】また、ズボンベルト等に取り付けていない場合は、携帯電話を本発明に取り付け、二つ折りにした状態で、ベルト等への取り付けベルト部分を携帯電話側へ閉じることにより、携帯電話全体を保護するカバーとする事が可能となる。
【発明の効果】
【００１０】ベルト等に取り付け携帯した場合にも、持ち歩く際の負担にならず、着信時にも容易にケースより取り出すことが可能となる。また、
【図面の簡単な説明】
【００１１】
【図１】実施の形態の二つ折り携帯電話用収納ケースの斜視図である。
【図２】実施の形態の二つ折り携帯電話用収納ケースに携帯電話を収納した際の斜視図である。
【図３】実施の形態の二つ折り携帯電話用収納ケースに携帯電話を収納し、携帯電話を閉じた際の斜視図である。
【図４】実施の形態の二つ折り携帯電話用収納ケースに携帯電話を収納し、ベルト等に取り付ける際に面ファスナー等で固定する際の斜視図である。
【図５】実施の形態の二つ折り携帯電話用収納ケースに携帯電話を収納し、ベルト等に取り付ける際に面ファスナー等で固定した場合のベルトの位置を示す斜視図と体のベルトに取り付けた場合の位置図である。
【図６】実施の形態の二つ折り携帯電話用収納ケースに携帯電話を収納し携帯電話のカバーとして使用する際の斜視図である。
【発明を実施するための最良の形態】
【００１２】携帯電話の利便性を損なうことなく、体の邪魔にならないように身に着けることを二つ折り携帯電話用収納ケースで実現した。
以下、本発明の実施形態を図面に基づいて詳しく説明する。【００１３】図１は、本実施形態の二つ折り携帯電話収納ケースの斜視図である。この図に示したように携帯電話収納面に携帯電話の操作面下部を保持するための袋状部位と操作面上部（二つ折り部分の操作面側を保持するための帯状の保持材を備る。また、収納面上部及び、収納面下部の裏側に面ファスナーを備えている。【００１４】操作面下部を保持するための袋状部位は携帯電話の出し入れに支障の無い大きさで作られるか、または、素材に収縮性を持たせることで多様な携帯電話の機種に対応する。【００１５】操作面上部を保持するための帯状保持材は、携帯電話の出し入れをし易くするために、携帯電話の大きさに基づいて作られているか、または、素材に収縮性を持たせることで、多様な大きさの携帯電話に対応する。【００１６】前項の帯状保持材は、二つ折り携帯電話を収納時に二つ折りした場合携帯電話のボタン操作面と画面とに挟まれる位置になるため、二つ折りの支障の無い厚さとしている。【００１７】図１にあるように本実施形態の収納面の上部に面ファスナーを配置し、また、収納面下部の裏側に上部面ファスナーと接合できるよう面ファスナーを配置する。【００１８】図２にあるように本実施形態の収納面に二つ折り携帯電話の操作面を帯状保持材を通して収納する。【００１９】図３にあるように、本実施形態に二つ折り携帯電話を収納し、画面部を閉じる事で安全にまた堅固に収納ケースに保持される。【００２０】図４にあるように、本実施形態の面ファスナーを携帯電話収納面の裏側で接合することで、図５にあるように、ベルト等を通し身に着けることが可能となる。【００２１】また、図６にあるように、本実施形態の面ファスナーを携帯電話収納面側で接合することで、携帯電話本体全部を覆うことが可能となり、本体を保護する。
【産業上の利用可能性】
【００２２】日常生活に描かせなくなった携帯電話の携帯性を損なうことなく、また、操作性、利便性にも優れた収納ケースである。また、収納ケースの素材や柄等に変化をつけることが可能で、利用者の嗜好を満足させるファッション性も備えている。
【符号の説明】１  二つ折り携帯電話収納ケース
２  面ファスナー
３  操作面上部を保持するための帯状保持材
４  携帯電話操作面下部を挿入する袋状部位
５  図裏側に２の面ファスナーと接着するための面ファスナーの位置
６  携帯電話
【図１】
2012016552.tif 000003
【図２】
2012016552.tif 000004
【図３】
2012016552.tif 000005
【図４】
2012016552.tif 000006
【図５】
2012016552.tif 000007
【図６】
2012016552.tif 000008